(57)【特許請求の範囲】
【請求項１】
フィルムフレーム（１）の内容をビデオ信号に変換するための手段（２、４）と、
前記ビデオ信号を後処理するための手段（１２、１３、１４）とを有するスキャナであって、
ビデオ信号の後処理の前に、スケーリング信号（ＳＫＳ）を前記ビデオ信号の中に挿入するための手段（７、９又は８、９、１１）を含む、スキャナにおいて、
スケーリング信号（ＳＫＳ）を抽出し、評価するための手段（１５、１７、１８、１９又は２２、２４）と、
ビデオ信号と共にスケーリング信号（ＳＫＳ）を表示するための手段（２５）とを有することを特徴とするスキャナ。
【請求項２】
スケーリング信号（ＳＫＳ）をデジタル信号としてデジタルビデオ信号の中に挿入するための手段（８、９、１１）を有することを特徴とする請求項１記載のスキャナ。
【請求項３】
スケーリング信号（ＳＫＳ）をアナログ信号としてアナログビデオ信号の中に挿入するための手段（７、９）を有することを特徴とする請求項１記載のスキャナ。
【請求項４】
後処理の結果を監視するための手段（２５、２６）を有することを特徴とする請求項１記載のスキャナ。
【請求項５】
デジタルスケーリング信号（ＳＫＳ）を挿入するための手段（８、９、１１）は、デジタルビデオ信号線路の中に配置されたマルチプレクサ（８）及びパルス発生器（１１）を含んでおり、
前記マルチプレクサ（８）は、デジタルビデオ信号及びデジタルスケーリング信号を受け取り、
前記パルス発生器（１１）は、パルス形成器（９）による制御に依存してスケーリング信号を発生することを特徴とする請求項２記載のスキャナ。
【請求項６】
アナログスケーリング信号を挿入するための手段（７、９）は、アナログビデオ信号分岐路の中に配置された、パルス発生器を有するアナログ挿入回路（７）を含んでおり、
該挿入回路（７）は、パルス形成器（９）によって制御されることを特徴とする請求項３記載のスキャナ。
【請求項７】
ホワイト・リミットを越えるスケーリング信号の値において、ディスプレイ・スクリーンに表示されたスケーリング信号ラインが明滅することを特徴とする請求項１記載のスキャナ。
【請求項８】
抽出及び評価のための手段（１５、１７、１８、１９）は、ビデオ信号分岐路の中に配置された信号分配回路（１５）を含んでおり、
該信号分配回路（１５）は、後処理されたデジタルビデオ信号を受け取り、
前記信号分配回路（１５）からこの信号はＤ/Ａ変換器（１６）及びスケーリング信号分離段（１７）に供給され、
該スケーリング信号分離段（１７）では、スケーリング信号（ＳＫＳ）をビデオ信号から分離し、
前記手段（１５、１７、１８、１９）は、さらに別のＤ/Ａ変換器（１９）を含んでおり、
該Ｄ/Ａ変換器（１９）は、デジタルスケーリング信号を受け取り、アナログスケーリング信号に変換することを特徴とする請求項１記載のスキャナ。
【請求項９】
ラインを増倍するためのライン・メモリ（１８）は、スケーリング信号分離段（１７）と前記別のＤ/Ａ変換器（１９）との間に配置されていることを特徴とする請求項８記載のスキャナ。
【請求項１０】
抽出及び評価のための手段（２２、２４）は、測定信号分岐路（Ｍ１、Ｍ２、Ｍ３）の中に配置されたスケーリング信号処理段（２２）及び出力側を有する後続のＤ/Ａ変換器（２４）を含んでおり、
前記スケーリング信号処理段（２２）は、測定すべき各ビデオ信号のＲＧＢ信号を受け取り、
前記Ｄ/Ａ変換器（２４）の出力側から、アナログスケーリング信号をとりだすことができることを特徴とする請求項１記載のスキャナ。
【請求項１１】
セレクタ（２０）は、測定信号分岐路の中に配置されており、
該セレクタ（２０）は、信号プロセッサ（１２）の所定の測定点（Ｍ１、Ｍ２、Ｍ３）から取り出された測定信号を受け取り、
各測定信号は、相応のＲＧＢ信号に分離され、
該相応のＲＧＢ信号は各々Ｄ/Ａ変換器（２３）に供給され、アナログビデオ信号に変換されることを特徴とする請求項１０記載のスキャナ。
【請求項１２】
ライン・メモリ（２１）は、セレクタ（２０）とＤ/Ａ変換器（２３）との間に配置されており、
前記ライン・メモリ（２１）は、ラインを増倍するためにＲＧＢ信号を受け取ることを特徴とする請求項１１記載のスキャナ。
【請求項１３】
ディスプレイ装置（２５）のスクリーンに表示されるスケールは、スケーリング信号（ＳＫＳ）からアナログ又はデジタル形式で計算された、電子的に生成されたスケールであることを特徴とする請求項１記載のスキャナ。
【請求項１４】
スキャナはテレシネマ・スキャナ又は投影スライド・スキャナである、請求項１記載のスキャナ。
【発明の詳細な説明】
【０００１】
【発明の属する技術分野】
本発明は、フィルムフレームの内容をビデオ信号に変換するための手段と、ビデオ信号を後処理するための手段とを有するスキャナであって、ビデオ信号の後処理の前に、スケーリング信号をビデオ信号の中に挿入するための手段を含む、スキャナに関する。
【０００２】
【従来の技術】
上記の特徴を有するスキャナは、例えば、投影スライドの内容を磁気記憶手段に記憶するために使用される。類似の使用手段は、映画フィルムのフレームの内容をビデオ磁気テープに記録すること、つまり、映画フィルムのコピーをビデオフィルムの形式で作ることである。
【０００３】
このように１つの記録担体から他の記録担体へ画像情報を変換するには、コピーの品質をできるだけオリジナルの品質に近くするために絶えざるチェックが必要である。例えば、カラーフィルムをコピーする際に、ビデオ信号における色彩構成要素の再調整が必要である。例えば、解像度、セットアップ・インターバル、ガンマ、白バランス、ドライブ、輪郭エンハンスメントのようなビデオ信号の他のパラメータも監視しなければならず、もし必要とあれば、変更しなければならない。
【０００４】
これらのパラメータ値は、ビデオ信号の後処理のための上記の装置の異なる位置（チェックポイント）で取り出され、測定用クロスバーを介して例えばオシロスコープやモニターなどのディスプレイ装置に供給される。
【０００５】
重要なパラメータは、変換素子及び変換素子のプリアンプのドライブ、つまり、フレームを相応に増幅されたビデオ信号に変換するための手段のドライブである。これらの手段は、例えば固体センサ（ＣＣＤ）又は撮像管などの光電変換器である。この目的のための他の手段は光電子増倍管であり、この光電子増倍管は、画像によって変調されフライング・スポット撮像管の電子ビームによって発生された光ビームをビデオ信号に変換する。
【０００６】
これらの素子のドライブを最適化するためには、上記の第１の場合における光の強度、又は上記の第２の場合における電子ビームの強度を増大又は低減しなくてはならない。ドライブを制御するために、クロスバーの入力側を変換器のすぐ後ろのチェックポイントに接続する。しばしば、ビデオ信号パラメータを変更すると同時に光電変換器のドライブを変更しなければばらないので、クロスバーをこれに従って連続的に切り換えなければならない。デジタルシステムの場合、データフォーマットに依存する複雑なＤ／Ａ変換をチェックポイントごとに行わなければならない。というのも画像は、オシロスコープ又はモニター上にアナログ形式で表示されるからである。これは、著しい時間の浪費、高い回路技術的なコスト及び通常は是認できないほどの多数の構成要素を意味している。
【０００７】
【発明が解決しようとする課題】
本発明の課題は、冒頭に記述したようなスキャナにおいて、後処理のための構成要素の数を減らすことである。
【０００８】
【課題を解決するための手段】
上記課題は、スケーリング信号を抽出し、評価するための手段と、ビデオ信号と共にスケーリング信号を表示するための手段とを有することによって解決される。
【０００９】
【発明の実施の形態】
本発明は、光電変換器及びＡ／Ｄ変換器のドライブを、クロスバーの各位置でチェックすることができるという利点を有する。したがって、増幅の全プロセスの間に色補正及び他のレベル操作における光電流の調整を明瞭に確認することができるようになる。
【００１０】
【実施例】
本発明の実施例を図面に示された図にもとづいて詳しく説明する。
【００１１】
図１のテレシネマ・スキャナでは、映画フィルム１のフレームをビデオ信号（ＲＧ ，Ｂ，又はＹ，ＣR，ＣB）に変換する。このビデオ信号は、後処理された後で出力側１０からとりだすことができる。フィルム１は、あらかじめ絞り又は視覚的光フィルタ２を通過した光によって照明される。制御可能なサーボモータ３により視覚的光フィルタ２を調整することによって、フィルム１にあたる光の強度を変化させる。この変化により光電センサ４、たとえばＣＣＤのドライブも変化する。この光電センサ４の出力信号はプリアンプ５の入力側に供給される。プリアンプ５によって増幅されたセンサ４のビデオ信号は、Ａ／Ｄ変換器６によってデジタル化される。
【００１２】
本発明に従ってスケーリング信号ＳＫＳをビデオ信号へ挿入するためには、アナログ挿入回路７をＡ／Ｄ変換器６の前のアナログ信号分岐路の中に配置するか、又はマルチプレクサ８をＡ／Ｄ変換器６の後のデジタル信号分岐路の中に設ける。挿入回路７もマルチプレクサ８も、スケーリング信号がビデオ信号のテスト・ラインに書き込まれるように、パルス形成器９によって制御される。パルス形成器９は、ビデオ信号の水平周波数パルスをカウントし、挿入回路７に含まれるパルス発生器を制御するか、又はマルチプレクサ８にスケーリング信号を供給するパルス発生器１１を制御する。この結果、たとえば６２５ライン標準の場合、６２４ラインの間にビデオ信号がＡ／Ｄ変換器６から伝達され、１ラインの間にパルス発生器１１からスケーリング信号ＳＫＳが伝達される。この後、このスケーリング信号ＳＫＳは、増幅器の演算に代わる後続のデジタル信号プロセッサ１２によって、通常のビデオ信号のように処理される。
【００１３】
ここに挙げた例では、スケーリング信号ＳＫＳは、Ａ／Ｄ変換器６の１００％レベルを表すビット・コンビネーションから成る。このスケーリング信号ＳＫＳは、ビデオ信号の他の全てのデータと同じように、デジタル信号プロセッサ１２によって変更される。ビデオ信号のどのデータが変更されるか、が入力装置１３から信号プロセッサ１２へ伝達される。ビデオデータを変更するために、概略的に図示された制御素子１４が設けられている。この制御素子１４は、ビデオ信号の色構成要素Ｒ，Ｇ，Ｂ及びフィルム１にあたる光の強度をコントロールするためのものである。
【００１４】
信号プロセッサ１２によって処理されるビデオ信号を監視するために、信号プロセッサ１２の回路の異なる位置に複数のチェックポイントが設けられている。この信号プロセッサ１２の出力側は、Ｍ１，Ｍ２，Ｍ３と記されている。ビデオ信号Ｒ，Ｇ，Ｂは、これらのチェックポイント信号出力側Ｍ１，Ｍ２，Ｍ３から時分割多重方式で取り出される。これらの信号は、図２に図示されているようにセレクタ２０の入力側に供給される。このセレクタ２０の出力側で、それぞれ切り換えられた信号から取り出された信号ＲＧＢを取り出すことができる。そして、これらＲＧＢ信号は、ライン・メモリ２１及びスケーリング信号処理段２２に供給される。ライン・メモリ２１は、ＲＧＢ信号ラインを増倍することができ、従って、画像ディスプレイ装置のスクリーンの表示の輝度を増大させる。スケーリング信号処理段２２では、スケーリング信号ＳＫＳをＲＧＢビデオ信号から分離し、同時に輝度増大のために、ラインごとにスケーリング信号ＳＫＳをライン・メモリによって増倍する。
【００１５】
ＲＧＢビデオ信号ならびにスケーリング信号ＳＫＳをこのように処理した後で、今はまだデジタル形式のこれらの信号は、Ｄ／Ａ変換器２３、２４に供給される。このＤ／Ａ変換器２３、２４の出力側Ｍ１´，Ｍ２´，Ｍ３´から、測定されたビデオ信号及び所属のスケーリング信号に相応するアナログ信号が、オシロスコープ２５のディスプレイスクリーン上に表示するために取り出される。これらのアナログ信号は、図１のクロスバー２６の入力側Ｍ１´，Ｍ２´，Ｍ３´ならびにＳＫＳ´に供給される。このクロスバー２６は、端子ＭＴに印加される信号によって異なる入力側にスイッチ切り替えをすることができ、このクロスバー２６の出力側は、信号の特性曲線を再現するオシロスコープ２５に接続されている。このオシロスコープ２５のディスプレイスクリーン上に、所属のスケーリング信号ラインを有するＲＧＢ信号を、別個にＲ，Ｇ及びＢ信号として表示することができ、又は、図３に図示されているように、選択されたビデオ信号チェックポイントの１つのＲＧＢ信号として同時にいっしょに表示することができる。
【００１６】
デジタル信号プロセッサ１２の後で、デジタルビデオ信号は、１つの入力側と２つの出力側とを有する信号分配回路１５に供給される。スケーリング信号ＳＫＳを有するデジタルビデオ信号は、この分配回路１５の第１の出力側から取り出すことができる。この信号は後続のＤ／Ａ変換器１６に供給され、アナログビデオ信号に変換される。（スケーリング信号ＳＫＳを持たない）アナログ色構成要素信号Ｒ，Ｇ，Ｂ又はＹ，ＣR，ＣBがフィルム・スキャナの出力側１０から取り出される。
【００１７】
スケーリング信号ＳＫＳを有するデジタルビデオ信号は、回路１５の第２の出力側からも取り出すことができる。この信号は、スケーリング信号分離段１７に供給され、デジタルビデオ信号からスケーリング信号ＳＫＳが分離される。デジタルスケーリング信号は、分離段１７からライン・メモリ１８を介して別のＤ／Ａ変換器１９にも供給することができる。オプションのライン・メモリ１８は、複数のラインごとのスケーリング信号を格納するのに使用され、その結果、スケーリング信号のライン増倍によって、オシロスコープ２５のディスプレイスクリーン上のスケーリング信号ラインの輝度を変化又は増大させる。
【００１８】
オシロスコープ２５のディスプレイスクリーン上にスケーリング信号ＳＫＳならびに所属のビデオ信号を表示するために、分離又は抽出されたスケーリング信号ＳＫＳは、Ｄ／Ａ変換器１９からクロスバー２６の入力側ＳＫＳ´に供給される。このクロスバー２６は、スケーリング信号の位置に関する情報のためにパルス形成器９によって形成され、相応の遅延回路２７を介して導かれてきた信号ならびに入力装置１３の出力信号及び出力側１０から取り出すことのできるアナログビデオ信号を受け取る。クロスバー２６をフィルム・スキャナの異なるチェックポイントＭ１，Ｍ２，Ｍ３及び１０に切り替えると、これら異なるチェックポイントのビデオ信号及び同時にかつて前もって選択又は調整されたスケーリング信号ラインを、図３に図示されているように、オシロスコープ２５のディスプレイスクリーン上に表示することができる。それも、これら２つの信号（ビデオ信号及びスケーリング信号）を比較するために連続的に切り替える必要なしに、ビデオ信号及びスケーリング信号ラインを表示することができる。
【００１９】
たとえば、Ａ／Ｄ変換器６の１００％レベルを表すスケーリング信号ＳＫＳからスケールを計算し、このスケールをオシロスコープ２５のディスプレイスクリーン上に表示することによって、又は単にスケーリング信号ＳＫＳの明暗度を低減させて表示することによって、評価を行うことができる。スケーリング信号ＳＫＳからスケールを計算するのはアナログ方式又はデジタル方式で行えばよい。ビデオ信号の現在のドライブ・リザーブを計算し、ディスプレイスクリーン上に表示することもできる。
【００２０】
ビデオ信号線路の中に、１００％のスケーリング値からダイナミック・レンジの限界値（ほぼ１２０％）まで、ある一定のドライブ・リザーブが存在しても、スケーリング信号ＳＫＳの持続時間の間は、このビデオ信号線路の中にある全てのホワイト・リミッタを監視しなくてはならない。制御素子１４を操作することによってスケーリング信号ＳＫＳをそのホワイト・リミットまで駆動した場合、この状態が表示されなければならない。これは、たとえばオシロスコープ２５のディスプレイスクリーン上でスケーリング信号ラインを明滅させるか、又は図１には図示されていないオペレーティング・パネルのディスプレイ上に、関連する制御素子を表示させることによって達成される。
【００２１】
スケーリング信号ＳＫＳをＡ／Ｄ変換器６の前で挿入することができるように、この増幅線路の所定の後続の回路部分のオーバードライブを監視するために、このスケーリング信号の挿入を、増幅線路内の１つの又は任意の複数の位置で行うことができる。これらの異なるスケーリング信号の選択もオペレーティング・パネルによって行うことができる。増幅線路のどの領域が現時点のスケーリング信号ＳＫＳによって監視されているか、表示が示してくれる。
【００２２】
図３に図示されているオシロスコープ２５のディスプレイスクリーン上にはノコギリ歯状信号として３つのビデオ信号Ｒ，Ｇ，Ｂならびに所属のスケーリング信号ＳＫＳがラインとして表示されている。各スケーリング信号ＳＫＳは、相応に駆動されたセンサ４の１００％の値を、又は所属のビデオ信号Ｒ，Ｇ，ＢのためのＡ／Ｄ変換器６の１００％の値を表している。容易にわかるように、ノコギリ歯状信号Ｒ，Ｇ，Ｂの振幅は、まだ異なっている。良好なカラー表示のためには、色信号の振幅のこれらの差を、制御素子１４を調整することによって補整しなくてはならない。この目的のために、常に同時に表示され、ドライブを示すスケーリング信号ラインは非常に有利である。
【図面の簡単な説明】
【図１】本発明の特徴を有するテレシネマ・スキャナの回路図である。
【図２】チェックポイントでの信号処理のブロック図である。
【図３】オシロスコープのディスプレイスクリーン上の、本発明によって変更された表示である。
【符号の説明】
１  映画フィルム
２  視覚的光フィルタ
３  サーボモータ
４  センサ（ＣＣＤ）
５  プリアンプ
６  Ａ／Ｄ変換器
７  アナログ挿入回路
８  マルチプレクサ
９  パルス形成器
１０  出力側
１１  パルス発生器
１２  デジタル信号プロセッサ
１３  入力装置
１４  制御素子
１５  信号分配回路
１６  Ｄ／Ａ変換器
１７  スケーリング信号分離段
１８  ライン・メモリ
１９  Ｄ／Ａ変換器
２０  セレクタ
２１  ライン・メモリ
２２  スケーリング信号処理段
２３  Ｄ／Ａ変換器
２４  Ｄ／Ａ変換器
２５  オシロスコープ
２６  クロスバー
２７  遅延回路
【図１】
0003945848.tif 000002
【図２】
0003945848.tif 000003
【図３】
0003945848.tif 000004